(57)【要約】【課題】金属等の導電性物品に取付けたＩＣタグの発信出力の低下を防止して正確に物流の管理を行う。【解決手段】所定時間間隔で電波に乗せて個別のＩＤコードデータをアンテナ部から発信するＩＣタグを取付けた導電性物品と、前記導電性物品の管理区域内に設置してなりＩＣタグの電波を受信する少なくとも１のリーダ及び前記リーダに接続したデータ処理部とからなる導電性物品の物流管理システムにおいて、前記ＩＣタグがその発信部とアンテナ部との間に、アンテナ部のインピーダンスの１．１〜３倍のインピーダンスと発信部のインピーダンスとを整合させる整合回路を有することを特徴とする導電性物品の物流管理システム。【選択図】　なし【特許請求の範囲】
【請求項１】
所定時間間隔で電波に乗せて個別のＩＤコードデータをアンテナ部から発信するＩＣタグを導電性物品又はその包装物に取付けて物流を管理する導電性物品の物流管理システムにおいて、前記ＩＣタグが発信部とアンテナ部との間に、アンテナ部のインピーダンスの１．１〜３倍のインピーダンスと発信部のインピーダンスとを整合させる整合回路を有することを特徴とする導電性物品の物流管理システム。
【請求項２】
前記ＩＣタグの発信電波の周波数がＶＨＦ帯又はＵＨＦ帯に属する請求項１に記載の導電性物品の物流管理システム。
【請求項３】
ＩＣタグの発信電波が通信距離２０ｍ以下の微弱電波である請求項１に記載の導電性物品の物流管理システム。
【請求項４】
所定時間間隔で電波に乗せて個別のＩＤコードデータをアンテナ部から発信するＩＣタグを取付けた導電性物品と、前記導電性物品の管理区域内に設置してなりＩＣタグの電波を受信する少なくとも１のリーダ及び前記リーダに接続したデータ処理部とからなる導電性物品の物流管理システムにおいて、前記ＩＣタグがその発信部とアンテナ部との間に、アンテナ部のインピーダンスの１．１〜３倍のインピーダンスと発信部のインピーダンスとを整合させる整合回路を有することを特徴とする導電性物品の物流管理システム。
【発明の詳細な説明】
【０００１】
【発明の属する技術分野】
本発明は、導電性物品の物流管理システムに関し、更に詳述すれば各種金属製品等の導電性物品又はその包装物に微弱電波で通信する集積回路（ＩＣ）タグ等を取付け、導電性物品の物流を管理する導電性物品の物流管理システムに関する。
【０００２】
【従来の技術】
従来、市場には各種の物品が流通している。これらの物品の物流管理方法として、ラベル、バーコード等を利用する方法がある。これらの方法においては、視覚的、光学的に読取り可能な管理データを物品に付して流通させ、この管理データを視覚や光学的に読取ることにより物品の流通を管理するものである。
【０００３】
従って、物品にラベルやバーコード等を取付けた箇所が、物品の裏面である場合のように、視覚や光学的読取りに適していない方向に向いている場合は、データは読み取れない。この場合は、物品の向いてる方向を管理データの読取りに適した方向に修正して読取る必要があり、煩雑である。
【０００４】
一方、所定時間間隔で個別のＩＤコードデータを発信する小型発信器（ＩＣタグ）を物品に取付けて、ＩＤコードデータをリーダと呼ばれる受信機で検出することにより、物品の流通を管理する方法がある。この方法による場合は、電波の受信範囲内で、ＩＣタグの取付け方向に関係なくＩＤコードデータを検出できるので、前記視覚又は光学的読取り方法のように読取り方向に依存することがなく、効率よく管理することができる。
【０００５】
しかし、現在の物流は複雑で、物品の種類も多岐を極めて来ている。このため、同一の管理区域において各種の物品にＩＣタグを取付けた場合、ＩＣタグが置かれた環境に影響され、ＩＣタグの発信出力が大きく変化する。例えば、金属等の導電性物品にＩＣタグを取付けた場合と、非導電性物品にＩＣタグを取付けた場合とでは、発信出力が大きく異なり、導電性物品に取付けたＩＣタグの発信出力は極めて弱くなる。このため、導電性物品に取付けたＩＣタグの電波は検出されない場合があり、その結果物流管理が不能になる場合がある。
【０００６】
【発明が解決しようとする課題】
本発明は上記事情に鑑みなされたもので、その目的とするところは、導電性物品や、その包装物に取付けても発信出力の低下が少なく、電波の不検出事故を防止し、従って物流管理を確実に行うことのできるＩＣタグを用いる導電性物品の物流管理システムを提供することにある。
【０００７】
【課題を解決ための手段】
上記目的を達成する本発明は、以下に記載するものである。
【０００８】
〔１〕　所定時間間隔で電波に乗せて個別のＩＤコードデータをアンテナ部から発信するＩＣタグを導電性物品又はその包装物に取付けて物流を管理する導電性物品の物流管理システムにおいて、前記ＩＣタグが発信部とアンテナ部との間に、アンテナ部のインピーダンスの１．１〜３倍のインピーダンスと発信部のインピーダンスとを整合させる整合回路を有することを特徴とする導電性物品の物流管理システム。
【０００９】
〔２〕　前記ＩＣタグの発信電波の周波数がＶＨＦ帯又はＵＨＦ帯に属する〔１〕に記載の導電性物品の物流管理システム。
【００１０】
〔３〕　　ＩＣタグの発信電波が通信距離２０ｍ以下の微弱電波である〔１〕に記載の導電性物品の物流管理システム。
【００１１】
〔４〕　所定時間間隔で電波に乗せて個別のＩＤコードデータをアンテナ部から発信するＩＣタグを取付けた導電性物品と、前記導電性物品の管理区域内に設置してなりＩＣタグの電波を受信する少なくとも１のリーダ及び前記リーダに接続したデータ処理部とからなる導電性物品の物流管理システムにおいて、前記ＩＣタグが発信部とアンテナ部との間に、アンテナ部のインピーダンスの１．１〜３倍のインピーダンスと発信部のインピーダンスとを整合させる整合回路を有することを特徴とする導電性物品の物流管理システム。
【００１２】
以下、本発明につき詳細に説明する。
【００１３】
【発明の実施の形態】
本発明の物流管理システムにおける管理対象物は、社会活動、生産活動、商業活動等の各種活動において取扱われる種々の物品の内、導電性の包装物を含む導電性物品である。導電性の程度は、物品の形状、大きさに依存し一概に言えないが、ＩＣタグを取付けた場合ＩＣタグの電波が実用に供しない程度まで減少するものである。一般的には、通常導電率が１０−４Ω・ｃｍ以下のものである。
【００１４】
このような導電性物品としては、具体的には金属製品、プラスチックや紙等の非導電性製品の表面や内部に金属箔や金属めっき等で導電性薄膜を形成した物品、樹脂中に導電材を混練した物品、またはこれらを用いて製造した包装物等を例示できる。
【００１５】
本発明において、前記導電性物品に取付けるＩＣタグは、非接触ＩＣタグである。図１に示す様に、このＩＣタグ１は、発信回路２と増幅回路４とからなる発信部１００、及びＩＣチップを搭載した制御回路６を有すると共に、アンテナ部８と前記発信部１００との間に整合回路１０を備えている。このＩＣタグはアンテナ部を兼ねるコイルパターンとコンデンサの様な容量素子とにより共振回路を構成している。
【００１６】
このＩＣタグは、電源を内蔵し、微弱ＶＨＦ波、ＵＨＦ波を発信することができる。通信距離は２０ｍ程度、好ましくは１５ｍ程度、又はそれ以内のものである。本発明においては、多数のＩＣタグを同時に取扱うことが多いので、アンチコリジョンタイプのものを利用することが好ましい。このようなＩＣタグ自体は公知のもので、具体的にはリンテック（株）社製ＴＲ−Ｃ００３等を例示できる。
【００１７】
本発明において使用するＩＣタグは、各タグに予めそれぞれ固有のＩＤコードデータが設定されており、このＩＤコードデータを所定間隔毎に微弱電波に乗せて発信できる。例えば、７桁のＩＤコードを数秒間隔で数年間発信し続ける。
【００１８】
通常、前記導電性物品にＩＣタグを取付けた場合、ＩＣタグのアンテナ部のインピーダンスは自由空間におけるアンテナ部のインピーダンスの１／３〜１／１．１になる。従って、本発明に使用するＩＤタグは、アンテナ部のインピーダンスの１．１〜３倍、好ましくは１．２〜２倍のインピーダンスと発信部のインピーダンスとを整合させる整合回路をアンテナ部と発信回路との間に有する。
【００１９】
アンテナ部のインピーダンスが１．１倍未満となるような整合回路を有する場合は、アンテナ部のインピーダンスが発信部のインピーダンスに比べて小さくなり、アンテナ部のインピーダンスと発信部のインピーダンスとの差が大きくなるため電波出力の低下が大きくなる。
【００２０】
また、アンテナ部のインピーダンスが３倍を超えるような整合回路を有する場合は、アンテナ部のインピーダンスが発信部のインピーダンスに比べて大きくなり、アンテナ部のインピーダンスと発信部のインピーダンスとの差が大きくなるため電波出力の低下が大きくなる。
【００２１】
このＩＣタグを導電性物品又はその包装物に取付ける方法は特に制限がなく、物品の形状、大きさ等に応じて適宜公知の手段で取付けることができる。具体的には、紐等でＩＣタグを縛り付けたり、粘着テープの利用、ワンタッチ式のマジックテープ（登録商標）の利用等を例示できる。
【００２２】
本発明において使用するリーダは、前記ＩＤタグの発信電波を受信すると共に、受信ＩＤコードデータをリーダに接続された情報処理装置に送り、ここで物流データ処理を行う。具体的には、リンテック（株）製　商品名ＤＲ−Ｗ００３等を例示できる。
【００２３】
リーダは管理対象の導電性物品の物流を管理するべき場所に少なくとも１台設置する。設置数は、物流管理内容に応じて適宜決定するものである。
【００２４】
物流の管理内容は、特に制限がない。例えば、搬入又は搬出物品の数、仕分、任意の時刻における位置等を例示できる。
【００２５】
更に、リーダに接続した情報処理装置の情報処理データをサーバ等に送信して、多数のリーダの情報を一括管理するようにしても良い。送信は、有線、無線の何れも用いることができる。
【００２６】
【実施例】
実施例１
商品を収納するステンレス製籠１０箇にそれぞれアンテナ部の自由空間におけるインピーダンスが７０．２Ωのリンテック（株）製ＩＣタグ商品名ＴＲ−Ｔ５０３を紐で取付けた。導電性のステンレス製籠にＩＣタグを取付けることによりアンテナ部のインピーダンスは４６Ωに変化した。発信部のインピ−ダンス（７０．２Ω）とアンテナ部のインピーダンス（４６Ω）の１．５倍のインピーダンスとが整合するように図２に示す３個のコンデンサＣ２１、Ｃ２２、Ｃ２３からなる整合回路をアンテナ部と発信部との間に設けた。
【００２７】
リンテック（株）製リーダＤＲ−Ｗ００３を用いて、５ｍ離れた場所で、１０箇全てのＩＣタグのＩＤ信号が検出できた。
【００２８】
比較例１
商品を収納するステンレス製籠１０箇に、整合回路を構成しない以外は実施例１の同じＩＣタグをそれぞれ紐で取付けた。導電性のステンレス製籠にＩＣタグを取付けることにより、アンテナ部のインピーダンスは７０．２Ωから４６Ωに変化した。
【００２９】
リンテック（株）製リーダＤＲ−Ｗ００３を用いて、５ｍ離れた場所で、ＩＣタグのＩＤ信号を検出したところ、１０箇全てのＩＣタグのＩＤ信号を検出することができなかった。
【００３０】
比較例２
商品を収納するステンレス製籠１０箇に、発信部のインピーダンスとアンテナ部のインピーダンスの４倍のインピーダンスが整合するように整合回路を構成した以外は実施例１の同じＩＣタグをそれぞれ紐で取付けた。整合回路は、図３に示すように、２個のコンデンサＣ３１、Ｃ３２と、１個のコイルＬ３１で構成したものであった。
【００３１】
リンテック（株）製リーダＤＲ−Ｗ００３を用いて、５ｍ離れた場所で、ＩＣタグのＩＤ信号を検出したところ、１０箇中６個のＩＣタグのＩＤ信号を検出したが、残り４個のＩＣタグの信号は検出することができなかった。
【００３２】
【発明の効果】
本発明の導電性物品の物流管理システムにおいては、ＩＣタグのアンテナ部のインピーダンスの１．１〜３倍のインピーダンスと、発信部のインピーダンスとを整合回路を設けることにより整合させる様にしたので、ＩＣタグを導電性物品に取付けた場合、ＩＣタグの電波出力の低下が少ない。このため、ＩＣタグの信号を正確にリーダで検出でき、非検知によるシステム異常が起きることを大幅に低減できる。
【図面の簡単な説明】
【図１】本発明の導電性物品の物流管理システムに用いるＩＣタグの構成を示すブロック図である。
【図２】実施例１で用いた整合回路を示す配線図である。
【図３】比較例２で用いた整合回路を示す配線図である。
【符号の説明】
１　　ＩＣタグ
２　　発信回路
４　　増幅回路
６　　制御回路
８　　アンテナ部
１０　　整合回路
１００　　発信部
Ｃ２１、Ｃ２２、Ｃ２３、Ｃ３１、Ｃ３２　　コンデンサ
Ｌ３１　　コイル
【図１】
2004070413.tif 000002
【図２】
2004070413.tif 000003
【図３】
2004070413.tif 000004